(57)【特許請求の範囲】
【請求項１】
ブラケットを有する立体写真撮影ブラケットであって、
上記ブラケットに取り付けられたベースと、
上記ベースに取り付けられ、自身がなす円弧が水平面上にある湾曲レールと、
上記湾曲レールに取り付けられ、該湾曲レール上を移動するスライダであって、該スライダの上部から連続的に撮影可能なカメラを搭載するためのスライダと、
上記スライダを移動させる駆動装置であって、上記ベースの第１端部に取り付けられ、電気モータによって駆動される動輪と、上記ベースの第２端部に取り付けられ、上記動輪に対応する従輪とを備える駆動装置とを有し、
上記動輪および上記従輪は、上記湾曲レールの同じ側面上に配置され、搬送部材を介して互いに接続されており、
上記スライダは、上記搬送部材と隣り合った箇所に固定して取り付けられ、
上記レールの各端部に、上記スライダによって作動されると上記電気モータのスイッチを切る制限スイッチが取り付けられており、
上記カメラのシャッタは、上記駆動装置の電気モータのスイッチと連動して制御されていることを特徴とする立体写真撮影ブラケット。
【請求項２】
上記搬送部材は、搬送ベルトあるいは搬送チェーンであることを特徴とする請求項１に記載の立体写真撮影ブラケット。
【発明の詳細な説明】
【技術分野】
【０００１】
本発明は、立体写真撮影ブラケットに関する。
【背景技術】
【０００２】
市販されている従来の立体カメラは、いくつかの一般的なカメラあるいは一眼レフカメラによって構成されている。撮影時には、異なるカメラ間のピント、測光、および、角度は一貫していないため、これらの立体カメラは商品化および市場化には至っていない。その一方、いくつかのカメラによって構成されている立体写真カメラによって撮影された立体写真の効果は、上述の理由から乏しいのと同時に、立体カメラを構成しているカメラは高コストであり、操作が複雑であるという問題がある。そのため、立体写真カメラの市場は展開あるいは普及していない。
【発明の概要】
【発明が解決しようとする課題】
【０００３】
本発明によって解決すべき技術的問題は、従来技術では同じシーンを連続的に異なる角度から撮影する装置がないという問題を克服することであり、同じ対象物を連続的に異なる角度から撮影する立体写真撮影ブラケットを提供することである。
【課題を解決するための手段】
【０００４】
上記の技術的問題を解決するために、本発明は、ブラケットを有する立体写真撮影ブラケットであって、上記ブラケットに取り付けられたベースと、上記ベースに取り付けられ、自身がなす円弧が水平面上に配置された湾曲レールと、上記湾曲レールに取り付けられ、該湾曲レール上を移動するスライダであって、該スライダの上部から連続的に撮影可能なカメラを搭載したスライダと、上記スライダを移動させる駆動装置とをさらに有していることを特徴とする立体写真撮影ブラケットを提供する。
【０００５】
上記駆動装置は、上記ベースの第１端部に取り付けられ、電気モータによって駆動される動輪と、上記ベールの第２端部に取り付けられ、上記動輪に対応する従輪とを有し、上記動輪および上記従輪は、上記湾曲レールの同じ側面上に配置され、搬送部材を介して互いに接続されており、上記スライダは、上記搬送部材と隣り合った箇所に固定して取り付けられていることが好ましい。
【０００６】
上記搬送部材は、搬送ベルトあるいは搬送チェーンであることが好ましい。
【０００７】
上記レールの各端部に制限スイッチが取り付けられていることが好ましい。
【０００８】
上記カメラのシャッタ、ならびに、上記駆動装置の電気モータは、連携スイッチによって制御されていることが好ましい。
【発明の効果】
【０００９】
本発明の明確な有益な効果は、以下の通りである。本発明に係る立体写真撮影ブラケットは、同じ対象物を連続的に異なる角度から撮影することができるので、撮影時には、異なるカメラ間のピント、測光、および、角度が一貫していないという問題点を解決することができる。さらに本発明は、構造が単純であり、操作が分かりやすく、良好な撮影効果が得られ、低コストであるという利点がある。
【図面の簡単な説明】
【００１０】
【図１】図１は、本発明の一実施形態に係る立体写真撮影ブラケットを示す透視図である。
【図２】図２は、本発明の一実施形態に係る立体写真撮影ブラケットを概略的に示す平面図である。
【発明を実施するための形態】
【００１１】
本発明の実施形態について、図面を参照して説明する。
【００１２】
図１に示すように、本発明に係る立体写真撮影ブラケットは、ベース９、および、ベース９を支持するためのブラケット１０を有している。ベース９の上に湾曲レール１は取り付けられている。湾曲レール１のコード（図２中の破線）は、撮影対象物（図示せず）に対向する。スライダ２は、湾曲レール１上に取り付けられており、湾曲レール１上を移動可能である。撮影用のカメラ３は、スライダ２の上部に取り付けられている。カメラ３とスライド２とは、挿入接続、ブロッキング接続、あるいは、ねじ接続によって接続することができる。湾曲レール１に適合された４つのガイド輪４は、スライダ２に取り付けられている。これによって、スライダ２は湾曲レール１上をより滑らかに移動することができる。４つのガイド輪４は、湾曲レール１の同じ側面上に配置されていてもよいし、湾曲レール１の上面および下面それぞれに２つのグループに分けて配置されていてもよい。
【００１３】
立体写真撮影ブラケットは、スライダ２を駆動するための駆動装置２をさらに有している。駆動装置は、ベース９の両端部にそれぞれ取り付けられた動輪５および従輪６を有している。動輪５および従輪６は、湾曲レール１の同じ側面上に配置されており、それぞれの回転軸は垂直面上に位置している。動輪５および従輪６は互いに搬送ベルトを介して接続されている。動輪５を駆動するための電気モータ（図示せず）は、ベース９上に取り付けられている。スライダ２は、搬送ベルト７に隣り合った箇所に固定されて取り付けられている。これによって、搬送ベルト７が作動すると、湾曲レール１上をスライダ２に移動させることができる。搬送ベルト７は、接着による接続、あるいは、ねじ接続等の機械的な接続を介してスライダ２と接続していることが好ましい。さらに、搬送ベルトの代わりにチェーンを用いてもよく、本発明では特に方式に限定はない。従来技術において、スライドを駆動することができる手段があれば、本発明に適用することができる。
【００１４】
スライダ２が湾曲レール１上を滑っている際に、湾曲レール１から滑り出てしまうのを防ぐために、湾曲レール１の各端部に制限スイッチ８が取り付けられていることが好ましい。制限スイッチ８は、動輪５を制御する電気モータと連携制御している。したがって、スライダ２が制限スイッチ８の方へと移動し、該制限スイッチ８を作動させると、電気モータは回転を停止する。
【００１５】
カメラは、毎秒２〜１６枚の写真を連続的に撮影する機能を有している。カメラの撮影時間は１〜８秒であり、静止した対象物に応じて調整することができる。カメラのシャッターボタンは、電気モータの２つのワイヤスイッチまで伸長しており、電気モータと同じワイヤスイッチを共有している。具体的には、電気モータが回転すると、カメラは撮影を開始する。一方、電気モータのスイッチが切れた場合、同時にカメラも撮影を停止する。このようにして、自動制御を実現している。
【００１６】
さらに、湾曲レール１の弧度ならびに弧長は、特定の撮影環境に応じて調節してもよく、撮影シーンからの距離に応じて、異なる弧長および弧度を有するいくつかの湾曲レール１をベース９上に取り付けてもよい。図１に示すように、異なる弧長および弧度を有する２つの湾曲レール１，１’は、搬送ベルト７の両端部に取り付けられている。また、撮影装置を搭載するために、スライダは各湾曲レール１，１’に設けられている。各湾曲レール１，１’に設けられたスライダは、それぞれ搬送ベルト７に隣り合った箇所に固定されて取り付けられている。湾曲レール１’の詳細については、湾曲レール１を参照すればよいので、ここでは省略する。
【００１７】
図面に示し、以上で説明した本発明の実施形態はただの一例に過ぎず、本発明を限定するものではないことを当業者であれば理解できるであろう。
【００１８】
本発明の目的は、十分になおかつ効果的に達成されたことが分かる。その実施形態は、本発明の機能的および構造的な原理を説明する目的で示し、説明している。また、実施形態は、このような原理を逸脱しない範囲内で変更することができる。したがって、本発明は、以下の請求項の精神および範囲に含まれるすべての変更を包含するものである。
【図１】
0005536797.tif 000002
【図２】
0005536797.tif 000003